(57)【特許請求の範囲】
【請求項１】
薬剤を保持し、前記薬剤が分配される空気流路をともに規定する空気取り込み手段と薬剤送達口とを有するハウジングを含む、患者に薬剤を送達するための計量式吸入器であって、前記ハウジングは細長い本体を含み、前記空気取り込み手段は前記細長い本体の端面に備えられており、前記空気取り込み手段は、ハウジングに形成された細長い開口部の列を含み、隣り合う開口部の長辺が互いに面しており、各開口部はハウジングの外表面にそれぞれに区分された開口を備えており、前記各開口部がハウジングの表面にそれぞれに区分された凹部を備え、当該凹部が開口部の開口を規定しており、前記ハウジングの外表面の各開口部の開口は、少なくとも４５°の角度を規定する２つの異なる平面に延在して、患者による吸入の間に２つの異なる平面のうちの１つにおいて開口部の開口の少なくとも一部が覆われた場合に、ボイドスペースから少なくとも１の前記開口部への空気流路が形成されるように、患者と開口部との間にボイドスペースが形成される、患者に薬剤を送達するための吸入器。
【請求項２】
開口部が互いに平行に配置されていることを特徴とする、請求項１に記載の吸入器。
【請求項３】
前記各開口部の開口が、実質的に垂直な平面に延在していることを特徴とする請求項１又は２に記載の吸入器。
【請求項４】
前記空気取り込み手段が、前記細長い本体の端面の両側に配列された、細長い開口部の一組の列を含むことを特徴とする、請求項１〜３のいずれか一項に記載の吸入器。
【請求項５】
前記空気取り込み手段が、前記薬剤送達口が備えられるのと反対側の、前記細長い本体の端面に備えられていることを特徴とする、請求項１〜４のいずれか一項に記載の吸入器。
【請求項６】
前記細長い開口部の列の間に、隆起構造が備えられていることを特徴とする、請求項４に記載の吸入器。
【請求項７】
前記吸入器が、呼吸作動式の計量式吸入器であることを特徴とする、請求項１〜６のいずれか一項に記載の吸入器。
【請求項８】
前記ハウジングが、薬剤収容加圧キャニスターを受けるように適合されていることを特徴とする、請求項１〜７のいずれか一項に記載の吸入器。
【請求項９】
前記吸入器が、薬剤と推進剤とを収容する薬剤収容加圧キャニスターを含んでおり、前記薬剤が前記推進剤に溶解され、又は、前記薬剤が前記推進剤に懸濁されていることを特徴とする、請求項８に記載の吸入器。
【請求項１０】
前記薬剤が、抗炎症剤、抗コリン剤、β２−アドレナリン受容体アゴニスト、抗感染剤、抗ヒスタミン剤及びそれらの組み合わせからなる群から選ばれる、請求項１〜９のいずれか一項に記載の吸入器。
【請求項１１】
前記薬剤が、サルブタモール、フォルモテロール、サルメテロール、フルチカゾン、ブデソニド、ベクロメタゾン、チオトロピウム、イプラトロピウム及びそれらの組み合わせからなる群から選ばれる、請求項１〜９のいずれか一項に記載の吸入器。
【発明の詳細な説明】
【技術分野】
【０００１】
本発明は、患者に薬剤を送達するための吸入器、詳細には、計量式吸入器に関する。
【背景技術】
【０００２】
吸入によって患者に薬剤を送達するための吸入器が知られている。このような器具には、計量式吸入器（加圧タイプ及び乾燥粉末タイプの両方）を含む。計量式吸入器は、典型的には、薬剤収容ベッセルとマウスピースやノーズピースの形態である薬剤送達出口を有するアクチュエータハウジングとを含む。
【０００３】
薬剤収容ベッセルは、活性を有する薬剤と推進剤との混合物を収容する加圧されたキャニスターでありうる。このようなキャニスターは通常、計量バルブ組立部を保持する圧着蓋を有する、深絞りアルミニウムカップから形成される。計量バルブ組立部は、使用の際には、アクチュエータハウジングのいわゆる「ステムブロック（ＳｔｅｍＢｌｏｃｋ）」に強く押し込んで嵌め込まれる、突出バルブ軸を備える。
【０００４】
計量式吸入器には、手動操作タイプと呼吸作動タイプとがある。手動操作タイプでは、患者は、キャニスターがそのバルブ軸に対して移動するように、キャニスターの閉端部をアクチュエータハウジングに押し込むことで、自己投与をおこなう（バルブ軸は、アクチュエータハウジングのステムブロックに固定されている）。この移動は、キャニスターの計量バルブ組立体を作動させるのに十分であって、計量チャンバー中の加圧された内容物は軸を通り、ステムブロックとその出口ジェットとオリフィスを通って放出されることになり、薬剤はエアロゾルミストとしてマウスピースやノーズピースから放出される。この動作と同時に、吸入される空気流の中のエアロゾルミストと同調して、患者はノーズピース又はマウスピースを通じて呼吸する。こうして患者は、キャニスターの除圧力を開放し、キャニスターは内部バルブばねの働きでバルブ軸に対して上方に移動して、休止位置に戻るのである。
【０００５】
より最近の発展は、いわゆる呼吸作動式の計量式吸入器であり、これは、自動的にキャニスターをバルブ軸に対して移動させ、患者の呼吸に応答してキャニスターの計量チャンバーの内容物を放出するものである。このような吸入器の一般的な目的は、患者の呼吸に合わせた計量バルブ組立体の協同的な作動の難しさを緩和すること、また、患者の肺に導入される薬剤の量を最大にすることである。呼吸作動式の計量式吸入器は、ＷＯ０１／９３９３３  Ａ２に開示されている。
【０００６】
アクチュエータハウジングは一般的に、薬剤送達システムの不可欠部であると考えられている。なぜなら、ハウジングのデザインは、患者の吸入のために作り出される薬剤の形態に、多大に影響しうるからである。計量式吸入器のアクチュエータハウジングは、典型的に、薬剤が放出されるアクチュエータハウジングを通る空気流を作り出すための、空気取り込み手段を含んでいる。
【０００７】
さらに、呼吸作動式吸入器では、アクチュエータハウジングを通る空気流は、呼吸作動式機構を典型的には操作し、又は呼吸作動式機構に何らかの方法で少なくとも影響を与える。それゆえに、このような吸入器のアクチュエータハウジングは、ハウジングを通って空気を流させるようにデザインされた空気取り込み口を含む。しかしながら、このような空気取り込み口は、使用の間に患者の手や指で覆われ又は閉塞される可能性があり、アクチュエータハウジングを通る空気流が妨げられ又は影響されることとなり、結果として、呼吸作動式の機構が誤作動するというという問題があった。この問題は、空気取り込み口が、アクチュエータハウジングの、患者の使用の間に吸入器を持つのに都合のよい位置に備えられるという事実によってしばしば深刻なものとなっている。
【０００８】
このように、本技術分野では、患者が使用する間に閉塞されたりブロックされたりする可能性が低く、また同時に、患者には、より簡単で便利な操作を可能とする、改善された空気流の構造を提供する必要性がある。
【先行技術文献】
【特許文献】
【０００９】
【特許文献１】国際公開公報ＷＯ０１／９３９３３号
【発明の概要】
【００１０】  本発明は、［１］薬剤を保持し、前記薬剤が分配される空気流路をともに規定する空気取り込み手段と薬剤送達口とを有するハウジングを含む、患者に薬剤を送達するための計量式吸入器であって、前記ハウジングは細長い本体を含み、前記空気取り込み手段は前記細長い本体の端面に備えられており、前記空気取り込み手段は、ハウジングに形成された細長い開口部の列を含み、隣り合う開口部の長辺が互いに面しており、各開口部はハウジングの外表面にそれぞれに区分された開口を備えており、前記各開口部がハウジングの表面にそれぞれに区分された凹部を備え、当該凹部が開口部の開口を規定しており、前記ハウジングの外表面の前記各開口部の開口は、少なくとも４５°の角度を規定する２つの異なる平面に延在して、患者による吸入の間に２つの異なる平面のうちの１つにおいて開口部の開口の少なくとも一部が覆われた場合に、ボイドスペースから前記少なくとも１の開口部への空気流路が形成されるように、患者と開口部との間にボイドスペースが形成される、患者に薬剤を送達するための吸入器を提供する。  また本発明は、［２］開口部が互いに平行に配置されていることを特徴とする、前記［１］に記載の吸入器を提供する。  また本発明は、［３］前記各開口部の開口が、実質的に垂直な平面に延在していることを特徴とする、前記［１］又は［２］に記載の吸入器を提供する。  また本発明は、［４］前記空気取り込み手段が、前記細長い本体の端面の両側に配列された、細長い開口部の一組の列を含むことを特徴とする、前記［１］〜［３］のいずれか一項に記載の吸入器を提供する。  また本発明は、［５］前記空気取り込み手段が、前記薬剤送達口が備えられるのと反対側の、前記細長い本体の端面に備えられていることを特徴とする、前記の［１］〜［４］のいずれか一項に記載の吸入器を提供する。  また本発明は、［６］前記細長い開口部の列の間に、隆起構造が備えられていることを特徴とする、前記［４］に記載の吸入器を提供する。  また本発明は、［７］前記吸入器が、呼吸作動式の計量式吸入器であることを特徴とする、前記［１］〜［６］のいずれか一項に記載の吸入器を提供する。  また本発明は、［８］前記ハウジングが、薬剤収容加圧キャニスターを受けるように適合されていることを特徴とする、前記［１］〜［７］のいずれか一項に記載の吸入器を提供する。  また本発明は、［９］前記吸入器が、薬剤と推進剤とを収容する薬剤収容加圧キャニスターを含んでおり、前記薬剤が前記推進剤に溶解され、又は、前記薬剤が前記推進剤に懸濁されていることを特徴とする、前記［８］に記載の吸入器を提供する。  また本発明は、［１０］前記薬剤が、抗炎症剤、抗コリン剤、β２−アドレナリン受容体アゴニスト、抗感染剤、抗ヒスタミン剤及びそれらの組み合わせからなる群から選ばれる、前記［１］〜［９］のいずれか一項に記載の吸入器を提供する。  また本発明は、［１１］前記薬剤が、サルブタモール、フォルモテロール、サルメテロール、フルチカゾン、ブデソニド、ベクロメタゾン、チオトロピウム、イプラトロピウム及びそれらの組み合わせからなる群から選ばれる、前記［１］〜［９］のいずれか一項に記載の吸入器を提供する。
【００１１】
発明者らは、各々区分された開口を有し、各々が２つの異なる面に延在する複数の細長い開口部を設けることが、空気取り込み手段がブロックされるリスクを最小化することを見出した。区分された開口とは、各開口部の開口が、少なくとも部分的に、その開口に固有の表面によって区画されていることを意味している。
【００１２】
発明の実施形態では、空気取り込み手段が、使用の間に患者によって、特に、患者の指や親指（いずれも軟組織を含み、多様な表面の起伏を形作ることができる）によってブロックされることを避けることができるであろう。患者が空気取り込み手段を覆った場合に、患者と開口部との間にボイドスペースを設けることによって、空気取り込み手段が患者によって覆われていても、空気取り込み手段を通って空気を流すことができる代替的な空気流が維持され得る。
【００１３】
実施形態としては、特に、計量式吸入器と組み合わせて使用することが好ましく、また、加圧エアロゾルキャニスターを有するこのタイプの呼吸作動式吸入器であることが好ましい。
【００１４】
本発明は公知の吸入器に最低限のデザイン変更のみで適用しうる。そのため、患者が混乱する可能性を低減し、また、より大きなデザイン変更に伴うような多大な金型コストを回避することができる。
【００１５】
空気取り込み手段の開口部は、互いに平行に配置されうる。この方法では、所定の断面領域を有する空気取り込み手段を通る空気流を最大にすることができる。リブの形態である隆起した細長い構造が、隣り合う開口部の間に、開口部の区分された開口を規定するように備えられうる。
【００１６】
開口部は２ｍｍから２０ｍｍの範囲の長さを有してよく、好ましくは４ｍｍから１２ｍｍである。開口部は０．５ｍｍから２ｍｍの範囲の幅を有してよく、好ましくは約１ｍｍである。隣り合う開口部の間の距離は、開口部の幅と同じでありうる。隣り合う開口部の間に備えられる隆起表面構造は、０．５ｍｍから５ｍｍの範囲の高さであり、好ましくは１ｍｍから３ｍｍである。
【００１７】
実施形態では、各開口部が実質的にハウジングの外側表面においてそれぞれ区分された凹部を備えるようになっており、凹部は開口部の開口を規定している。（ハウジングの外側表面における）各開口部の開口領域は、ハウジングの内側表面における開口部の領域よりも大きくてもよい。たとえば、凹部が開口部を包囲しているのでも良い。しかしながら、一般的には、空気取り込み手段がブロックされる危険を最小化するために、凹部の少なくとも一面が、開口部の対応する面と同じ又は類似であることが好ましい。
【００１８】
上述のように、各開口部の開口が２つの異なる平面に延在していることは本発明の本質的な特徴であり、これはすなわち、開口は、角のある平面の間で若干のカーブ或いは端縁を規定しているということである。好ましい実施形態では、各開口部の開口は少なくとも４５°、より好ましくは少なくとも６０°、最も好ましくは少なくとも８０°の角度を規定する、異なる平面に延在していることが好ましい。
【００１９】
ハウジングは細長い本体を含んでもよく、かかる本体は一体構造でも複数部であってもよい。空気取り込み手段は、簡単には、薬剤送達口が備えられるのと反対側の、細長い本体の端に備えられうる。このケースでは、空気取り込み手段は、細長い本体の端面の両側に配置された細長い開口部の一組の列を含み、列の間には隆起した細長い表面構造を備え得る。
【００２０】
吸入器は計量式吸入器、特に、呼吸作動式の計量式吸入器でありえる。ハウジングは、薬剤収容加圧キャニスターを受けるよう適合されていてもよい。
【図面の簡単な説明】
【００２１】
発明の実施形態が以下に、添付の下記の図面を参照して、単なる一例として、説明される。
【図１】図１は、先行技術文献ＷＯ０１／９３９３３  Ａ２による空気取り込み手段を有する吸入器を示している。
【図２】図２は、本発明の実施形態による空気取り込み手段を有する吸入器の拡大図を示している。
【図３】図３は、図２に示された吸入器の側面図である。
【発明を実施するための形態】
【００２２】
本発明は、患者に薬剤を送達するための吸入器、例えば、呼吸作動式の加圧計量式吸入器を提供する。吸入器は、薬剤を保持し、前記薬剤が分配される空気流路をともに規定する空気取り込み手段と薬剤送達口とを有するハウジングを含む。空気取り込み手段は、ハウジングに形成され、隣り合う開口部の長辺が互いに面している、細長い開口部の列を含む。各開口部はハウジングの外表面に、それぞれに区分された開口を備えている。各開口部の開口は、２つの異なる平面に延在して、患者による吸入の間に２つの異なる平面のうちの１つにおいて開口の少なくとも一部が覆われた場合に、覆いと開口部との間にボイドスペースが形成されて、ボイドスペースから前記少なくとも１の開口部への空気流路が形成されるようになっている。
【００２３】
図１を参照すると、先行技術文献ＷＯ０１／９３９３３  Ａ２（この文献の全ての記載が引用によって参照される）による、空気取り込み手段１２を有する呼吸作動式の加圧計量式吸入器１０が示されている。吸入器１０の操作原理の詳細な説明は、本発明を理解するためには本質的でないが、しかし、背景情報として短い説明が提供される。
【００２４】
吸入器１０は、ともに細長いアクチュエータハウジングを規定している本体１４とエンドキャップ１６とを含んでいる。断面では大略的に円筒状である本体１４は、一端に横方向に延在するマウスピース１８を備え、他端は、円筒状の薬剤収容加圧キャニスターを受けられるように適合されている。ステムブロック（図示せず）は本体１４の中に、キャニスターのバルブ軸を受けるために備えられ、マウスピース１８と連通する出口ジェットとオリフィスとを含む。
【００２５】
エンドキャップ１６もまた、断面において大略的に円筒状であり、一端に空気取り込み手段１２を備えており、他端はキャニスターの残りの部分を受けられるように適合されている。本体１４とエンドキャップ１６は、螺合によって互いに連結されている。呼吸作動式機構の部品（図示せず）は本体１４とエンドキャップ１６の両方の中に収容されている。
【００２６】
ハウジング１４、１６の中に収容されている呼吸作動式機構とキャニスターとは、１又は複数の空気通路を備え、空気は、空気取り込み手段１２から、ハウジング１４、１６の内部を通ってマウスピース１８まで通過することができる。
【００２７】
マウスピース１８は、第一（閉）位置（図１に示す）と第二（開）位置との間を、軸２２に関して回動することができる、ダストキャップ２０を備えている。使用の際は、患者はダストキャップ２０を回して開位置とし、露出したマウスピース１８を口に入れる。マウスピース１８を通して患者が吸入をおこなう際、ハウジング１４、１６内の圧力の差異が、呼吸作動式機構の、バルブ軸に対するキャニスターの自動的な移動を引き起こす。キャニスターの計量チャンバーに収容された薬剤が、患者の呼吸に従って放出される。
【００２８】
患者の呼吸の間に、空気取り込み手段１２からハウジング１４、１６を通ってマウスピース１８まで空気が流れて、患者へ届く。キャニスターの計量チャンバーから放出された薬剤は、この空気流に含まれている。
【００２９】
患者によって１回分の薬剤が吸入された後、ダストキャップ２２は閉位置に戻され、これで、呼吸作動式機構とエアロゾルキャニスターは、次回の使用に備えるために停止位置にリセットされる。
【００３０】
図１に示される吸入器１０の空気取り込み手段１２は、エンドキャップ１６の端面に形成された複数の細長い開口部２４を含んでいる。開口部２４は端面の両側に、一組の列として配置されている。列の間には限定的な量の三次元部２６があるものの、各列の中の隣り合う開口部２４の開口は平滑な表面を規定している。その結果、吸入器の使用にあたっては、開口部２４が患者の指や親指でブロックされて、呼吸作動式機構の誤作動、及び／又は、患者への薬剤の送達が不完全、非効果的となりえるという問題がある。
【００３１】
図２、３に、本発明の実施形態による空気取り込み手段１０２を有する吸入器１００の拡大図が示されている。空気取り込み手段１０２を除いて、本発明の吸入器１００は図１に示される公知の吸入器１０と同じ構造であり、同じく使用される。ゆえに、空気取り込み手段１０２を有するエンドキャップ以外についての、吸入器１００の個々の要素の詳細な説明は省略される。同様に吸入器１００の使用の詳細な説明は省略される。
【００３２】
吸入器１００の空気取り込み手段１０２は複数の、大略的に長方形の形状である、平行で細長い形状の開口部１０４を含んでいる。開口部１０４はエンドキャップ１０６の端面に形成されている。開口部１０４は端面の両側に、２つに区分された列として配置されており、各々の列は、長辺で互いに面する５つの開口部１０４を含んでいる。一方の列の開口部１０４の短辺は他方の列の開口部１０４の短辺と面しており、それらは、開口部１０４の長さ方向に垂直な方向に延在する、細長い表面突出部１０８によって、離隔されている。
【００３３】
各々の開口部１０４はエンドキャップ１０６の表面に、実質的に凹設されており、かかる凹部が開口部１０４の開口を規定している。凹部は、隣り合う開口部１０４の長辺の間に配置され、成形されたリブ１１０の形態である隆起した細長い表面突出部によって規定されている。各々の凹部は一端で開口しており、各々のリブ１１０の対応する端部は面取りされている。それゆえ、各開口部１０４の開口は２つの本質的に垂直な平面に延在している：開口の‘上’部に対応する水平面と、開口の‘側’部に対応する垂直面である。
【００３４】
開口１０４は５ｍｍから７ｍｍの長さ、１ｍｍの幅を有する。開口部１０４の間の間隙は１．２ｍｍであり、これらの間隙を埋める細長いリブ１０４は高さ２．５ｍｍである。
【００３５】
吸入器１００の使用において、患者が、例えば指や親指で、２つの異なる面のうち１面における開口部１０４の開口の少なくとも一部を覆った場合、患者と開口部１０４との間には、ボイドスペースを通って開口部１０４への空気の流れが提供されるようボイドスペースが形成される。その結果、患者によって開口部１０４が閉塞、もしくはブロックされることが回避される。
【００３６】
換言すれば、空気取り込み手段１０２が、開口部１０４に至る垂直の空気流（図２及び３中、矢印‘Ｖ’として図示されている）を阻止する、水平面に延在する表面によって覆われた場合、例えば、開口部１０４の開口の少なくとも一部が垂直面に延在するという空気取り込み手段１０２の形態ゆえに、開口部１０４に至る水平の空気流（図２及び３中、矢印‘Ｈ’として図示されている）を許容することとなる。逆に、空気取り込み手段１０２が、開口部１０４への水平の空気流（矢印‘Ｈ’として図示されている）を阻止する、垂直平面に延在する表面によって覆われた場合、空気取り込み手段１０２の形態ゆえに、水平面に延在する穴２４の開口が、開口部１０４に至る垂直の空気流（矢印‘Ｖ’として図示されている）を許容する。
【００３７】
図３を特に参照すると、開口部１０４の開口を規定する細長いリブ１１０は、エンドキャップ１０６の周囲表面１１２の後ろに立設されていることが見られる。このように、細長いリブ１１０は、患者の指や親指と開口部１０４との間のボイドスペースが維持されるようにしている。
【００３８】
ここで説明される特定の実施形態は、図解を目的として記述されている。多様な改変が、当業者には明確であり、また、発明の目的から離れることなく実施され得る。
【００３９】
例えば、上記の実施形態では呼吸作動式の加圧計量式吸入器の実施例であるが、別の実施例として、患者による空気取り込み口のブロックが低減され阻止されることが期待される、吸入によって患者に薬剤を送達するための吸入器をより一般的に含みうることが理解されるだろう。例えば、薬剤の効果的な噴霧の為に空気源が必要とされるドライパウダー吸入器において、そのようなブロックの阻止が期待されうる。
【００４０】
上述の実施例において、空気取り込み手段はエンドキャップの端面に配置される。別の実施形態では、空気取り込み手段が他の位置、例えば、マウスピースに隣接する本体の端面に備えられていてもよい。
【００４１】
本発明による吸入器の部品は、典型的には成形プラスチック部品でありえる。この部品は、本発明による表面の特徴を簡便に備えることが可能である。
【００４２】
実施形態において、吸入器は、薬剤と推進剤とを収容する薬剤収容加圧キャニスターを含む。
【００４３】
典型的には、薬剤は、抗炎症剤、抗コリン剤、β２−アドレナリン受容体アゴニスト、抗感染剤、抗ヒスタミン剤及びそれらの組み合わせからなる群から選ばれる。
【００４４】
好ましい抗炎症剤は、コルチコステロイドとＮＳＡＩＤｓとを含む。使用され得る好適なコルチコステロイドは、経口及び吸入コルチコステロイド、及び、抗炎症活性を有するそれらのプロドラッグを含む。例示は、メチルプレドニゾロン、プレドニゾロン、デキサメタゾン、プロピオン酸フルチカゾン、6a,9a-ジフルオロ-17a-[(2-フラニルカルボニル)オキシ]-11-ヒドロキシ-16a-メチル-3-オキソ-アンドロスタ-1,4-ジエン-17-カルボチオ酸 S-フルオロメチルエステル、6a,9a-ジフルオロ-11-ヒドロキシ-16a-メチル-3-オキソ-17a-プロピオニルオキシ-アンドロスタ-1,4-ジエン-17p-カルボチオ酸 S-(2-オキソ-テトラヒドロ-フラン-3S-イル)エステル、ベクロメタゾンエステル（例えば、17-プロピオン酸エステル、又は、17,21-ジプロピオン酸エステル）、ブデソニド、フルニソリド、モメタゾンエステル（例えば、フロ酸エステル）、トリアムシノロンアセトニド、ロフレポニド、チクレソニド、プロピオン酸ブチキソコルト、RPR-106541、及び、ST-126を含む。好適なコルチコステロイドは、プロピオン酸フルチカゾン、6a,9c-ジフルオロ-11-ヒドロキシ-16a-メチル-17a-[(4-メチル-1,3-チアゾール-5-カルボニル)オキシ]-3-オキソ-アンドロスタ-1,4-ジエン-17,8-カルボチオ酸 S-フルオロメチルエステル、及び、6a,9a-ジフルオロ-17a-[(2-フラニルカルボニル)オキシ-11-ヒドロキシ-16a-メチル-3-オキソ-アンドロスタ-1,4-ジエン-17p-カルボチオ酸 S-フルオロメチルエステルを含む。より好ましくは、6a,9a-ジフルオロ-17a-[(2-フラニルカルボニル)オキシ]-11-ヒドロキシ-16a-メチル-3-オキソ-アンドロスタ-1,4-ジエン-17-カルボチオ酸 S-フルオロメチルエステルである。
【００４５】
好適なＮＳＡＩＤｓはクロモグリク酸ナトリウム、ネドクロミルナトリウム、ホスホジエステラーゼ（ＰＤＥ）阻害剤（例えば、テオフィリン、ＰＤＥ４阻害剤、又は、混合ＰＤＥ３／ＰＤＥ４阻害剤）、ロイコトリエンアンタゴニスト、ロイコトリエン合成阻害剤、ｉＮＯＳ阻害剤、トリプターゼ及びエラスターゼ阻害剤、ベータ−２インテグリンアンタゴニスト及びアデノシン受容体アゴニスト又はアンタゴニスト（例えば、アデノシン２ａアゴニスト）、サイトカインアンタゴニスト（例えば、ケモカインアンタゴニスト）又はサイトカイン合成阻害剤を含む。
【００４６】
他の好適なβ２−アドレナリン受容体アゴニストは、サルメテロール（例えば、キナフォエートとして）、サルブタモール（例えば、硫酸塩又は遊離塩基として）、フォルモテロール（例えば、フマル酸エステルとして）、フェノテロール、又はテルブタリン及びそれらの塩を含む。
【００４７】
好適な抗コリン剤としては、ムスカリン受容体でアンタゴニストとして働く化合物、特に、Ｍ１及びＭ２レセプターのアンタゴニストである化合物である。化合物としてはアトロピン、スコポラミン、ホマトロピン、ヒヨスチアミンといったベラドンナ植物体のアルカロイドを含む；これらの化合物は通常、三級アミンであり塩として投与される。
【００４８】
特に好適な抗コリン剤としては、アトロベントという名で販売されるイプラトロピウム（例えば、臭化物として）、オキシトロピウム（例えば、臭化物として）及びチオトロピウム（例えば臭化物として）（ＣＡＳ−１３９４０４−４８−１）を含む。同様の利益のものとして：メタンテリン（ＣＡＳ−５３−４６−３）、臭化プロパンテリン（ＣＡＳ−５０−３４−９）、臭化メチルアニソトロピンもしくはＶａｌｐｉｎ５０（ＣＡＳ−８０−５０−２）、臭化クリジニウム（Ｑｕａｒｚａｎ、ＣＡＳ−３４８５−６２−９）、コピロレート（ロビナール）、ヨウ化イソプロパミド（ＣＡＳ−７１−８１−８）、臭化メペンゾレート（ＵＳ特許２，９１８，４０８）、塩化トリジヘキセチル（Ｐａｔｈｉｌｏｎｅ、ＣＡＳ−４３１０−３５−４）、及び、硫化メチルヘキソシクリウム（Ｔｒａｌ、ＣＡＳ−１１５−６３−９）。また、シクロペントレート塩酸塩（ＣＡＳ−５８７０−２９−１）、トロピカミド（ＣＡＳ−１５０８−７５−４）、トリヘキシフェニジル塩酸塩（ＣＡＳ−１４４−１１−６）、ピレンゼピン（ＣＡＳ−２９８６８−９７−１）、テレンゼピン（ＣＡＳ−８０８８０−９０−９）、ＡＦ−ＤＸ１１６、もしくは、メトクタルアミン及びＷＯ０１／０４１１８に開示された化合物を参照のこと。
【００４９】
好適な抗ヒスタミン剤（Ｈ１受容体アンタゴニストとも称される）としては、Ｈ１受容体を阻害し、人間への使用において安全であることが知られている多数のアンタゴニストの１又はそれ以上を含む。いずれも、ヒスタミンとＨ１受容体との相互作用の、可逆・競合的な阻害剤である。例示は、エタノールアミン、エチレンジアミン及びアルキルアミンを含む。さらに他の第一世代の抗ヒスタミン剤は、ピペリジン及びフェノチアジンに基づいて特徴づけられるものを含む。鎮静作用の無い第二世代アンタゴニストは、同様の構造−活性相関関係を有しており、コアのエチレングループ（アルキルアミン）もしくはピペリジン（piperizine）かピペリジン(piperidine)の三級アミングループ模倣体を保存している。例示されるアンタゴニストとしては次のものがある：
エタノールアミン：カルビノキサミンマレイン酸塩、クレマスチンフマル酸塩、ジフェニルヒドラミン塩酸塩、及び、ジメンヒドリナート。
【００５０】
エチレンジアミン：ピリラミンマレイン酸塩、トリペレンナミンＨＣｌ、及び、トリペレンナミンクエン酸塩。
【００５１】
アルキルアミン：クロロフェニルアミン及びその塩、例えば、マレイン酸塩、及び、アクリバスチン。
【００５２】
ピペラジン：ヒドロキシジンＨＣｌ、ヒドロキシジンパモ酸塩、シクリジンＨＣｌ、シクリジン乳酸塩、メクリジンＨＣｌ、及び、セチリジンＨＣｌ。
【００５３】
ピペリジン：アステミゾール、レボカバスチンＨＣｌ、ロラタジンもしくはそのデスカルボエトキシ（descarboethoxy）類似体、及び、テルフェナジン、及び、フェキソフェナジン塩酸塩又は他の薬学的に許容される塩。
【００５４】
アゼラスチン塩酸塩もまたＰＤＥ４阻害剤と組み合わせて使用されうるＨ１受容体アンタゴニストである。
特に好適な抗ヒスタミン剤はメタピリレン及びロラタジンを含む。
【００５５】
好ましくは、薬剤は推進剤と、好ましくは溶媒を含む組成物として提示される。他の好ましい材料としては、オレイン酸を含む界面活性剤を含む。好ましい溶媒としては、エタノール、グリセロール及びグリコールを含む。
【００５６】
好ましい推進剤としては、ヒドロフルオロアルカンを含む；特に、１，１，１，２−テトラフルオロエタン（ＨＦＡ１３４ａ）；１，１，１，２，３，３，３−へプタフルオロプロパン（ＨＦＡ２２７）；もしくはそれらの組み合わせを含む。好ましくは、薬剤は推進剤に懸濁されている。代替的には、薬剤は推進剤に溶解されている。薬剤が推進剤に一部懸濁され、一部溶解されていてもよい。
【実施例】
【００５７】
次の薬剤組成物が吸入器に使用された：
【表１】
0005785160.tif 000002
【表２】
0005785160.tif 000003
【図１】
0005785160.tif 000004
【図２】
0005785160.tif 000005
【図３】
0005785160.tif 000006